(57)【特許請求の範囲】
【請求項１】
水槽内に染料、顔料、粘土等の汚濁成分を自動的に混入する汚濁手段と、エアーレイション及び／又は照明により汚濁地帯をより効果的に演出せしめる汚濁演出手段とを備えてなることを特徴とする演出汚濁水槽。
【請求項２】
濾過手段として沈殿槽と特殊濾過材による生物濾過槽を有することを特徴とする請求項１に記載の演出汚濁水槽。
【請求項３】
水槽内の水を沈澱槽を経由させて濾過槽にて生物濾過を行なう濾過工程と、濾過処理された水を水槽に戻す配水管に汚濁注入ポンプと染料注入ポンプを介して顔料、染料、粘土等の汚濁成分を自動的に混入する自動汚濁工程と、沈澱槽で沈澱させた沈殿物を沈澱ポンプで展示水槽に戻す沈澱物還流工程と、エアーレイション及び／又は照明により汚濁地帯をより効果的に演出せしめる汚濁演出工程とを有することを特徴とする演出汚濁水槽の汚濁方法。
【発明の詳細な説明】
【０００１】
【発明の属する技術分野】
本発明は主として水族館等で使用される展示水槽の改良に関し、更に詳しくは、生物飼育に害になるような影響を与えない方法により展示水槽の演出効果を上げることができる有用な演出汚濁水槽に関する。
【０００２】
【従来の技術】
従来、斯かる展示水槽としては、水族館、動物園、博物館等において汎用されており、生物飼育の観点と展示の目的から汚濁のない、より透明度の高いことを目標として水槽装置を実施している。
【０００３】
【発明が解決しようとする課題】
しかしながら、上述した従来の展示水槽にあっては、透明度の高い水質下での演出であるため、水槽本体の奥行き感、距離感を演出しようとすると、水槽自体をより大きくするしか術がなく、その分、維持費がかかる他、展示スペース、建物コストの点からも難しいといった問題がある。
【０００４】
また、よりリアルな展示方法を考える時、例えば、アマゾン川、黄河、ガンジス川のような汚濁したイメージのリアル展示は、従来の透明度の高い水質下での展示水槽では不可能である。
【０００５】
本発明は斯かる問題点に鑑みてなされたもので、展示スペースや建物コストにとらわれることなく水槽内の一部に自然に近い汚濁地帯を作って上げることで、水槽の奥行き感、距離感を如実に醸し出せると共に、生物飼育の観点からしても問題のない汚濁を水槽内に発生せしめる有用な演出汚濁水槽とその汚濁方法を提供することを目的とするものである。
【０００６】
【課題を解決するための手段】
上述の如き従来の問題点を解決し、所期の目的を達成するため本発明の要旨とする構成は、水槽内に染料、顔料、粘土等の汚濁成分を自動的に混入する汚濁手段と、エアーレイション及び／又は照明により汚濁地帯をより効果的に演出せしめる演出汚濁手段とを備えてなる演出汚濁水槽に存し、延いては、濾過手段として沈殿槽と特殊濾過材による生物濾過槽を有する演出汚濁水槽に存する。
【０００７】
また、本発明は、展示水槽の水を沈澱槽を経由させて濾過槽にて生物濾過を行なう濾過工程と、濾過処理された水を展示水槽に戻す配水管に汚濁注入ポンプと染料注入ポンプを介して顔料、染料、粘土等の汚濁成分を自動的に混入する自動汚濁工程と、沈澱槽で沈澱させた沈殿物を沈澱ポンプで展示水槽に戻す沈澱物還流工程と、エアーレイション及び／又は照明により汚濁地帯をより効果的に演出せしめる汚濁演出工程とを有する演出汚濁水槽の汚濁方法に存する。
【０００８】
このように構成される本発明の演出汚濁水槽及びその汚濁方法は、水槽内に染料、顔料、粘土等の汚濁成分を自動的に混入する汚濁手段と、エアーレイション及び／又は照明により汚濁地帯をより効果的に演出せしめる演出汚濁手段とを備えてなることによって、今までは発想できなかった汚濁した水槽の展示の演出が可能になり、また、スペース、建築費用にとらわれずに水槽の奥行き感、距離感を醸し出せることとなる。
【０００９】
【発明の実施の形態】
次に、本発明の実施例の一例を図面を参照しながら説明する。図中１は、本発明に係る演出汚濁水槽であり、この演出汚濁水槽１は、所定大きさの展示水槽１と、該展示水槽１に給水管２、３を介してそれぞれに連通される沈澱槽４及び濾過槽５とを備えている。
【００１０】
展示水槽１は、正面側にアクリル面１ａが配設されると共に、バック壁１ｂに沿ってエアーレイション６が配設されている。このエアーレイション６は気泡発生用の器具であり、照明器具７と協働して展示水槽１内の汚濁地帯をより効果的に演出せしめる汚濁演出手段を構成するものである。
【００１１】
照明器具７は、正面側のアクリル面１ａと背面側のバック壁１ｂとに二分して照らすものであり、特に、アクリル面１ａ側を明るく、バック壁１ｂ側をカラー照明等で暗くすることにより、汚濁地帯の演出を行うものであり、特に、正面視からの遠近感（奥行き感）を醸し出すことができる。
【００１２】
一方、沈澱槽４は、前述の給水管２を介して展示水槽１の水が滞留されると共に、同沈澱槽４内で沈澱させた沈殿物を沈澱ポンプ８及び配水管９を介して展示水槽１に戻せるように配管されている。
【００１３】
また、濾過槽５は、バクテリア等の生物による特殊濾過材５ａを使用することにより生物濾過手段を構成するものであり、沈澱槽４を経由した水（沈澱水）を給水管３を介して滞留して濾過し、次いで、濾過処理された水（以下、単に濾過水という）を配水管９、濾過ポンプ１０及び配水管１１を経て展示水槽１に戻せるように配管されている。
【００１４】
その際、濾過水は、熱交換器１２を経由することにより、一旦、温度調整された上で、配水管１１に戻されるため、水温が下がったり、展示水槽１内に病気等の害を及ぼすこともない。
【００１５】
他方、この展示水槽１には汚濁手段１３が配設されている。この汚濁手段１３は、濾過水を展示水槽１に戻す配水管１１に接続してなる汚濁注入ポンプ１４及び染料注入ポンプ１５とからなり、汚濁注入ポンプ１４を介して顔料と粘土が、染料注入ポンプ１５を介して染料が、それぞれ自動的にバック壁１ｂ側から展示水槽１内に混入されるように配管されている。
【００１６】
因に、顔料としては、無機質又は有機質の有色の個体粉末で、水や油に溶けない着色剤を総称するものであり、成分としては、例えば、亜鉛華、チタン白、亜鉛黄、ベンガラ（酸化鉄）等が挙げられる。
【００１７】
また、染料としては、生物に害のない食品添加材の色素を使用するものであり、例えば、クチナシ、コーリャン、カキ、カカオ、イカスミ等が挙げられ、更に、粘土としては、ケイ酸、アルミナ、珪石、長石等が挙げられる。
【００１８】
このように構成される本発明の演出汚濁水槽は、展示水槽１内に染料、顔料、粘土等の汚濁成分が自動的に混入されてバック壁１ｂ側が汚濁されると共に、エアーレイション６で気泡を発生させながら、かつ、照明器具７によりアクリル面１ａ側を明るく、バック壁１ｂ側をカラー照明等で暗くしているため、展示水槽１を正面から見た際、目視できない汚濁地帯の奥の方から魚が急に遊泳してくるなど、正面視からの遠近感（奥行き感）をリアルに醸し出すことができ、今までは発想できなかった汚濁した水槽の展示演出、特に、水族館、動物園、博物館等で新しいイメージのリアルな展示が可能になり、スペース、建築費用にとらわれずに自然の川に近い状況で展示水槽１の奥行き感、距離感を如実に醸し出せるなど、アマゾン川、黄河、ガンジス川のような汚濁下でのリアル展示ができるのである。
【００１９】
次に、本発明に係る演出汚濁水槽の汚濁方法について説明する。尚、理解を容易にするため、前述した第１実施例と同一部分は同一符号で示し、構成の異なる処のみを新たな番号を付して以下に説明する。
【００２０】
まず、第１工程について説明する。展示水槽１の水を沈澱槽４を経由させて濾過槽５にて生物濾過を行なう（濾過工程）。濾過材５ａとしては、バクテリア等の特殊濾過材を使用するのが良い。
【００２１】
次に、第２工程について説明する。濾過水を展示水槽１に戻す配水管１１に汚濁注入ポンプ１４と染料注入ポンプ１５を介して顔料、染料、粘土等の汚濁成分を自動的に混入する（汚濁工程）。因に、濾過水は、予め（展示水槽１に戻される前に）熱交換器１２で殺菌処理が施されるのが良い。
【００２２】
次に、第３工程について説明する。沈澱槽４で沈澱させた沈殿物を沈澱ポンプ８で展示水槽１の底面１ｃ側に戻す（沈澱物還流工程）。
【００２３】
次に、第４工程について説明する。エアーレイション６及び／又は照明器具７により汚濁地帯をより効果的に演出せしめる（汚濁演出工程）。特に、照明器具７は、アクリル面１ａ側を明るく、バック壁１ｂ側をカラー照明等で暗くすることにより、汚濁地帯の演出を行うのが良い。因に、図中１６はバルブ、１７は排水管である。
【００２４】
尚、本発明はこれら実施例に限定されることなく、本発明の目的の範囲内で自由に設計変更し得るものであり、本発明はそれらの全てを包摂するものである。例えば、汚濁方法の各工程の順番は、本実施例に限定されるものではなく、少なくともこれら工程を具備するものであれば良い。
【００２５】
【発明の効果】
本発明の演出汚濁水槽及びその汚濁方法は、水槽内に染料、顔料、粘土等の汚濁成分を自動的に混入する汚濁手段と、エアーレイション及び／又は照明により汚濁地帯をより効果的に演出せしめる演出汚濁手段とを備えてなることによって、今までは発想できなかった汚濁した水槽の展示の演出が可能になるため、水族館、動物園、博物館等で新しいイメージのリアルな展示ができ、また、展示スペース、建築コストにとらわれずに水槽の奥行き感、距離感を醸し出せる斬新な展示を行なうことができるといった効果を奏するものである。
【００２６】
換言すれば、展示水槽を正面から見た際、奥の汚濁地帯から急に魚が泳ぎ出てくるなど（鑑賞者をして）展示水槽の意外性と趣向性が増し、また、正面視からの遠近感（奥行き感）をリアルに醸し出すことができるため、今までは発想できなかった汚濁した水槽の展示演出、特に、水族館、動物園、博物館等で新しいイメージのリアル展示（例えば、アマゾン川、黄河、ガンジス川のような汚濁した状況下でのリアル展示）ができるものであり、また、構成が単純であるため大量生産に適し、価格も低廉なものとして需要者に供給できるなど、本発明を実施することはその実益的価値が甚だ大である。
【図面の簡単な説明】
【図１】本発明に係る演出汚濁水槽を示す説明図である。
【符号の説明】
１  展示水槽
１ａ  アクリル面
１ｂ  バック壁
１ｃ  底面
２  給水管
３  給水管
４  沈澱槽
５  濾過槽
５ａ  濾過材
６  エアーレイション
７  照明器具
８  沈澱ポンプ
９  配水管
１０  濾過ポンプ
１１  配水管
１２  熱交換器
１３  汚濁手段
１４  汚濁注入ポンプ
１５  注入ポンプ
１６  バルブ
１７  排水管
【図１】
0003904971.tif 000002